(57)【特許請求の範囲】
【請求項１】
人の出入りする場所を監視するために配置され、カラー撮影可能な監視カメラと、
該監視カメラが撮影した画像データに基づいて、監視区域の様子をカラー表示可能なモニターと、
を備える監視システムにおいて、
前記監視カメラによる監視区域に人がいない条件下で撮影した画像データに基づき、該画像データを多数のメッシュに分割し、各メッシュ内の画像データを、当該メッシュに対する基本データとして記憶しておく基本データ記憶手段と、
前記監視カメラにより随時撮影される画像を、前記メッシュと同じ単位に分割すると共に、各メッシュ内の画像データを、当該メッシュに対する現状データとして抽出する現状データ抽出手段と、
該現状データ抽出手段の抽出した現状データと、前記基本データ記憶手段の記憶している基本データとをメッシュ単位で比較し、両データの一致・不一致をメッシュごとに判定する基本データ一致判定手段と、
該基本データ一致判定手段によって一致と判定されたメッシュについて、前記監視カメラの撮影した画像データ中の色成分データをカットするように当該メッシュの画像データを修正してから、当該修正後の画像データを表示用として前記モニタに出力する第１の画像データ修正出力手段と、
前記第１の画像データ修正出力手段による画像データの修正が行われなかったメッシュの現状データを少なくとも所定時間経過するまで過去データとして記憶しておく過去データ記憶手段と、
前記第１の画像データ修正出力手段による画像データの修正が行われなかったメッシュの現状データを、前記過去データ記憶手段の記憶している所定時間前の当該メッシュの過去データと比較し、当該メッシュについての両データの一致・不一致を判定する過去データ一致判定手段と、
該過去データ一致判定手段によって一致と判定されたメッシュについて、前記監視カメラの撮影した画像データ中の色成分データの強度を低下させるように当該メッシュの画像データを修正してから、当該修正後の画像データを表示用として前記モニタに出力する第２の画像データ修正出力手段と、
を備えることを特徴とする監視システム
【請求項２】
請求項１記載の監視システムにおいて、
前記監視カメラにより撮影された画像を、前記メッシュと同じ単位に分割すると共に、各メッシュ内の画像データ中の明度成分データを、当該メッシュに対する現状データとして抽出する現状明度データ抽出手段と、
該現状明度データ抽出手段によって抽出された現状明度データを、少なくとも所定時間経過するまで該当するメッシュの過去明度データとして記憶しておく過去明度データ記憶手段と、
前記現状明度データ抽出手段の抽出した現状明度データと、前記過去明度データ記憶手段の記憶している所定時間前の過去明度データとをメッシュ単位で比較し、当該過去明度データより現状明度データの方が明るいメッシュを特定する明度増加メッシュ特定手段と、
該明度増加メッシュ特定手段によって特定されたメッシュについては、画像データ中の明度成分データを低下させるように当該メッシュの画像データを修正してから、当該修正後の画像データを表示用として前記モニタに出力する第４の画像データ修正出力手段と
を備えることを特徴とする監視システム。
【請求項３】
人の出入りする場所を監視するために配置され、カラー撮影可能な監視カメラと、
該監視カメラが撮影した画像データに基づいて、監視区域の様子をカラー表示可能なモニターと、
を備える監視システムにおいて、
前記監視カメラによる監視区域に人がいない条件下で撮影した画像データに基づき、該画像データを多数のメッシュに分割し、各メッシュ内の画像データを、当該メッシュに対する基本データとして記憶しておく基本データ記憶手段と、
前記監視カメラにより随時撮影される画像を、前記メッシュと同じ単位に分割すると共に、各メッシュ内の画像データを、当該メッシュに対する現状データとして抽出する現状データ抽出手段と、
該現状データ抽出手段の抽出した現状データと、前記基本データ記憶手段の記憶している基本データとをメッシュ単位で比較し、両データの一致・不一致をメッシュごとに判定する基本データ一致判定手段と、
該基本データ一致判定手段によって一致と判定されたメッシュについて、前記監視カメラの撮影した画像データ中の色成分データをカットするように当該メッシュの画像データを修正してから、当該修正後の画像データを表示用として前記モニタに出力する第１の画像データ修正出力手段と、
前記監視カメラにより撮影された画像を、前記メッシュと同じ単位に分割すると共に、各メッシュ内の画像データ中の明度成分データを、当該メッシュに対する現状データとして抽出する現状明度データ抽出手段と、
該現状明度データ抽出手段によって抽出された現状明度データを、少なくとも所定時間経過するまで該当するメッシュの過去明度データとして記憶しておく過去明度データ記憶手段と、
前記現状明度データ抽出手段の抽出した現状明度データと、前記過去明度データ記憶手段の記憶している所定時間前の過去明度データとをメッシュ単位で比較し、当該過去明度データより現状明度データの方が明るいメッシュを特定する明度増加メッシュ特定手段と、
該明度増加メッシュ特定手段によって特定されたメッシュについては、画像データ中の明度成分データを低下させるように当該メッシュの画像データを修正してから、当該修正後の画像データを表示用として前記モニタに出力する第４の画像データ修正出力手段と
を備えることを特徴とする監視システム。
【請求項４】
請求項１〜３のいずれか記載の監視システムにおいて、
前記基本データ記憶手段を、前記各メッシュの画像データの内、色成分データを基本データとして記憶する手段として構成し、
前記現状データ抽出手段を、前記各メッシュの画像データの内、色成分データを前記現状データとして抽出する手段として構成し、
前記基本データ一致判定手段を、色成分データの一致・不一致を各メッシュ毎に判定する手段として構成することを特徴とする監視システム。
【請求項５】
請求項１〜４のいずれか記載の監視システムにおいて、
前記第１の画像データ修正出力手段は、
前記一致と判定されたメッシュについては、明度成分データについてもコントラストを低下させる様に、前記監視カメラの撮影した画像データを修正してから前記モニタに出力するコントラスト低下手段を備えることを特徴とする監視システム。
【請求項６】
請求項１〜５のいずれか記載の監視システムにおいて、
前記監視カメラにより撮影された画像を、前記メッシュと同じ単位に分割すると共に、各メッシュ内の画像データ中の明度成分データを、当該メッシュに対する現状明度データとして抽出する現状明度データ抽出手段と、
該現状明度データ抽出手段の抽出した現状明度データを、予め定めてある基本明度データと比較し、当該基本明度データより現状明度データの方が明るいメッシュを特定する明度超過メッシュ特定手段と、
該明度超過メッシュ特定手段によって特定されたメッシュについては、画像データ中の明度成分データを低下させるように当該メッシュの画像データを修正してから、当該修正後の画像データを表示用として前記モニタに出力する第３の画像データ修正出力手段と
を備えることを特徴とする監視システム。
【発明の詳細な説明】
【０００１】
【発明の属する技術分野】
本発明は、人の出入りする場所を監視するために配置され、カラー撮影可能な監視カメラと該監視カメラが撮影した画像データに基づいて、監視区域の様子をカラー表示可能なモニターとを備える監視システムに係り、特に、監視区域において変化の生じた部位を分かりやすく表示する監視システムに関する。
【０００２】
【従来の技術】
人の出入りする場所の中でも特にパチンコ店は、大当りやトラブルの発生状況を監視するため、各島や通路を俯瞰するように多数の監視カメラを設置し、この監視カメラで撮影した画像を管理室の多数のモニタに夫々表示して店内を監視するようにしたシステムが採用されている。
【０００３】
そこで、こうした労力を軽減するため、特開平５−１５４２４６号公報によれば、監視区域内で大当りが発生したとき、この大当りの発生を意味する信号をコンピュータに入力し、大当りの発生した台をズームインするように監視カメラを操作する技術が提案されている。
【０００４】
【発明が解決しようとする課題】
しかし、通常、１つの島に１台しか監視カメラが設置されていないので、上述の公報の記載の技術によってズームインしてしまうと、同じ時期に他の台でも大当りが発生しているとこれを見逃してしまうことになる。
【０００５】
また、こうしたパチンコ店の監視システムでは、大当りだけではなく、台の窓枠の開閉状況や人の動きなどの不正行為に対する監視も必要であるが、上述の後方記載のシステムでは、大当りの様に台が信号を発生するイベントにしか対応できないため、人の動きに対する監視には未だ大きな労力が必要となっている。
【０００６】
そこで、本発明は、同時に複数のイベントが発生した場合も各イベントに対する注意を引くことができる様な監視システムを提供し、監視者の労力を軽減することを目的とする。
【０００７】
【課題を解決するための手段、発明の実施の形態及び発明の効果】
かかる目的を達成するためになされた発明の監視システムは、請求項１に記載した様に、人の出入りする場所を監視するために配置され、カラー撮影可能な監視カメラと、該監視カメラが撮影した画像データに基づいて、監視区域の様子をカラー表示可能なモニターとを備える監視システムにおいて、前記監視カメラによる監視区域に人がいない条件下で撮影した画像データに基づき、該画像データを多数のメッシュに分割し、各メッシュ内の画像データを、当該メッシュに対する基本データとして記憶しておく基本データ記憶手段と、前記監視カメラにより随時撮影される画像を、前記メッシュと同じ単位に分割すると共に、各メッシュ内の画像データを、当該メッシュに対する現状データとして抽出する現状データ抽出手段と該現状データ抽出手段の抽出した現状データと前記基本データ記憶手段の記憶している基本データとをメッシュ単位で比較し、両データの一致・不一致をメッシュごとに判定する基本データ一致判定手段と、該基本データ一致判定手段によって一致と判定されたメッシュについて、前記監視カメラの撮影した画像データ中の色成分データをカットするように当該メッシュ画像データを修正してから、当該修正後の画像データを表示用として前記モニタに出力する第１の画像データ修正出力手段と、前記第１の画像データ修正出力手段による画像データの修正が行われなかったメッシュの現状データを少なくとも所定時間経過するまで過去データとして記憶しておく過去データ記憶手段と、前記第１の画像データ修正出力手段による画像データの修正が行われなかったメッシュの現状データを、前記過去データ記憶手段の記憶している所定時間前の当該メッシュの過去データと比較し、当該メッシュについての両データの一致・不一致を判定する過去データ一致判定手段と、該過去データ一致判定手段によって一致と判定されたメッシュについて、前記監視カメラの撮影した画像データ中の色成分データの強度を低下させるように当該メッシュの画像データを修正してから、当該修正後の画像データを表示用として前記モニタに出力する第２の画像データ修正出力手段とを備えることを特徴とする。
【０００８】
この請求項１記載の監視システムによれば、予め、人がいない条件下で監視区域の状況を監視カメラにより撮影する。そして、この監視カメラで撮影した画像データを多数のメッシュに分割し、各メッシュ内の画像データを、当該メッシュに対する基本データとして基本データ記憶手段に記憶しておく。ここで、メッシュに分割する手法としては、例えば、画素を１単位とするメッシュに分割してもよいし、いくつかの画素（例えば４×４個の画素）を１単位とするメッシュに分割してもよい。画素を１単位とする場合は、当該画素の色成分、明度成分をそのまま基本データとすればよい。一方、いくつかの画素を１単位とする場合は、メッシュ内の画素の色成分、明度成分をそれぞれ数値平均化した平均値などを基本データとしてもよく、いずれにしてもメッシュ内の色成分等を一義的に定め得る形で記憶しておけばよい。
【０００９】
こうして前準備が済んだら、人の出入りする状況下において、監視カメラで監視区域内を撮影し、現状データ抽出手段を作動させて、基本データを抽出したのと同じ条件でメッシュ分割し、現状データを抽出し、この現状データを基本データ一致判定手段に与える。すると、基本データ一致判定手段は、この現状データを取り込むと共に、基本データ記憶手段に記憶している基本データを読み出し、現状データと基本データとをメッシュ単位で比較し、両データの一致・不一致をメッシュ毎に判定する。続いて、画像データ修正出力手段を作動させ、基本データ一致判定手段によって一致と判定されたメッシュについて、監視カメラの撮影した画像データ中の色成分データをカットするように当該メッシュの画像データを修正してから、当該修正後の画像データを表示用としてモニタに出力する。基本データ一致判定手段により不一致と判定されたメッシュについては、こうした修正は実施されない。
【００１０】
以上の作用により、請求項１記載の監視システムによれば、人のいない状況で撮影した画像に対して変化のあった部位だけがカラー表示となり、それ以外の変化のなかった部位についてはモノクローム表示となる画像がモニタに表示される。この結果、何らかの変化があった部位が、変化のない部位と明瞭に区別された画面となり、監視者は、変化のあった部位をカラー表示か否かだけで判定することができる。また、１つの監視区域に対して複数の変化が同時に発生していても、各変化のあった部位がカラー表示となって変化のなかった部位と区別されるので、複数のイベントに対しても同時に注意を引くことができる。さらに、監視カメラが随時撮影している画像を、予め人のいない状況下で撮影した画像と比較するので、特別な信号を発生させなくてもイベントを検出することができ、人の動きの様なものまで確実に把握することができる。
また、この監視システムによれば、画像データ修正出力手段による修正が行われなかったメッシュ、即ち、基本データから変化のあったメッシュについて、現状データを少なくとも所定時間経過するまでは過去データとして過去データ記憶手段に記憶しておく。そして、所定時間経過したとき、過去データ一致判定手段及び第２の画像修正出力手段を作動させて、過去データと現状データとを比較し、基本データから変化があったもののその変化が所定時間前の変化と同じであるメッシュについては、色成分データの強度を低下させた画像表示となるようにする。
この結果、基本データに対して変化があった部位は、最初撮影したままのカラー表示となり、その後、当該変化の状況が同じであれば、所定時間経過後に色の強度が落とされたカラー表示に移行する。これにより、監視者は、基本データとは違うけれどもその後の変化がない部位に対する注意を解消され、より一層労力の低減を図ることができる。
【００１１】
請求項２に記載の監視システムは、請求項１記載の監視システムにおいて、前記監視カメラにより撮影された画像を、前記メッシュと同じ単位に分割すると共に、各メッシュ内の画像データ中の明度成分データを、当該メッシュに対する現状データとして抽出する現状明度データ抽出手段と、該現状明度データ抽出手段によって抽出された現状明度データを、少なくとも所定時間経過するまで該当するメッシュの過去明度データとして記憶しておく過去明度データ記憶手段と、前記現状明度データ抽出手段の抽出した現状明度データと、前記過去明度データ記憶手段の記憶している所定時間前の過去明度データとをメッシュ単位で比較し、当該過去明度データより現状明度データの方が明るいメッシュを特定する明度増加メッシュ特定手段と、該明度増加メッシュ特定手段によって特定されたメッシュについては、画像データ中の明度成分データを低下させるように当該メッシュの画像データを修正してから、当該修正後の画像データを表示用として前記モニタに出力する第４の画像データ修正出力手段とを備えることを特徴とする。
【００１２】
この請求項２記載の監視システムによれば、各メッシュは、基本明度よりも明るくならないように表示されることとなり、例えば、パチンコ店の監視システムであれば、パチンコ台の各種電飾部品の明滅が和らげて表示されることとなる。よって、監視者は、この電飾部品等の明滅に惑わされることなく、監視を行うことができる。
【００１３】
また、請求項３の監視システムは、人の出入りする場所を監視するために配置され、カラー撮影可能な監視カメラと、該監視カメラが撮影した画像データに基づいて、監視区域の様子をカラー表示可能なモニターと、を備える監視システムにおいて、前記監視カメラによる監視区域に人がいない条件下で撮影した画像データに基づき、該画像データを多数のメッシュに分割し、各メッシュ内の画像データを、当該メッシュに対する基本データとして記憶しておく基本データ記憶手段と、前記監視カメラにより随時撮影される画像を、前記メッシュと同じ単位に分割すると共に、各メッシュ内の画像データを、当該メッシュに対する現状データとして抽出する現状データ抽出手段と、該現状データ抽出手段の抽出した現状データと、前記基本データ記憶手段の記憶している基本データとをメッシュ単位で比較し、両データの一致・不一致をメッシュごとに判定する基本データ一致判定手段と、該基本データ一致判定手段によって一致と判定されたメッシュについて、前記監視カメラの撮影した画像データ中の色成分データをカットするように当該メッシュの画像データを修正してから、当該修正後の画像データを表示用として前記モニタに出力する第１の画像データ修正出力手段と、前記監視カメラにより撮影された画像を、前記メッシュと同じ単位に分割すると共に、各メッシュ内の画像データ中の明度成分データを、当該メッシュに対する現状データとして抽出する現状明度データ抽出手段と、該現状明度データ抽出手段によって抽出された現状明度データを、少なくとも所定時間経過するまで該当するメッシュの過去明度データとして記憶しておく過去明度データ記憶手段と、前記現状明度データ抽出手段の抽出した現状明度データと、前記過去明度データ記憶手段の記憶している所定時間前の過去明度データとをメッシュ単位で比較し、当該過去明度データより現状明度データの方が明るいメッシュを特定する明度増加メッシュ特定手段と、該明度増加メッシュ特定手段によって特定されたメッシュについては、画像データ中の明度成分データを低下させるように当該メッシュの画像データを修正してから、当該修正後の画像データを表示用として前記モニタに出力する第４の画像データ修正出力手段とを備えることを特徴とする。
【００１４】
この請求項３記載の監視システムによれば、予め、人がいない条件下で監視区域の状況を監視カメラにより撮影する。そして、この監視カメラで撮影した画像データを多数のメッシュに分割し、各メッシュ内の画像データを、当該メッシュに対する基本データとして基本データ記憶手段に記憶しておく。ここで、メッシュに分割する手法としては、例えば、画素を１単位とするメッシュに分割してもよいし、いくつかの画素（例えば４×４個の画素）を１単位とするメッシュに分割してもよい。画素を１単位とする場合は、当該画素の色成分、明度成分をそのまま基本データとすればよい。一方、いくつかの画素を１単位とする場合は、メッシュ内の画素の色成分、明度成分をそれぞれ数値平均化した平均値などを基本データとしてもよく、いずれにしてもメッシュ内の色成分等を一義的に定め得る形で記憶しておけばよい。
こうして前準備が済んだら、人の出入りする状況下において、監視カメラで監視区域内を撮影し、現状データ抽出手段を作動させて、基本データを抽出したのと同じ条件でメッシュ分割し、現状データを抽出し、この現状データを基本データ一致判定手段に与える。すると、基本データ一致判定手段は、この現状データを取り込むと共に、基本データ記憶手段に記憶している基本データを読み出し、現状データと基本データとをメッシュ単位で比較し、両データの一致・不一致をメッシュ毎に判定する。続いて、画像データ修正出力手段を作動させ、基本データ一致判定手段によって一致と判定されたメッシュについて、監視カメラの撮影した画像データ中の色成分データをカットするように当該メッシュの画像データを修正してから、当該修正後の画像データを表示用としてモニタに出力する。基本データ一致判定手段により不一致と判定されたメッシュについては、こうした修正は実施されない。
以上の作用により、請求項３記載の監視システムによれば、人のいない状況で撮影した画像に対して変化のあった部位だけがカラー表示となり、それ以外の変化のなかった部位についてはモノクローム表示となる画像がモニタに表示される。この結果、何らかの変化があった部位が、変化のない部位と明瞭に区別された画面となり、監視者は、変化のあった部位をカラー表示か否かだけで判定することができる。また、１つの監視区域に対して複数の変化が同時に発生していても、各変化のあった部位がカラー表示となって変化のなかった部位と区別されるので、複数のイベントに対しても同時に注意を引くことができる。さらに、監視カメラが随時撮影している画像を、予め人のいない状況下で撮影した画像と比較するので、特別な信号を発生させなくてもイベントを検出することができ、人の動きの様なものまで確実に把握することができる。
また、請求項３記載の監視システムによれば、例えば、パチンコ店の監視システムであれば、パチンコ台の各種電飾部品の明滅が和らげて表示されることとなる。よって、監視者は、この電飾部品等の明滅に惑わされることなく、監視を行うことができる。
【００１５】
ここで請求項４に記載した様に、この請求項１記載の監視システムにおいて、前記基本データ記憶手段を、前記各メッシュの画像データの内、色成分データを基本データとして記憶する手段として構成し、前記現状データ抽出手段を、前記各メッシュの画像データの内、色成分データを前記現状データとして抽出する手段として構成し、前記基本データ一致判定手段を、色成分データの一致・不一致を各メッシュ毎に判定する手段として構成することができる。
【００１６】
この請求項４記載の監視システムでは、基本データとしては色成分データだけを記憶しておけばよく、記憶量を少なくすることができる。また、判定も、色成分データ同士を比較するだけでよいので、処理内容を簡単化することができる。そして、色成分データだけで判定するので、監視範囲の明るさの変化により特に大したイベントでもないのにこれをイベントとしてカラー表示してしまうといったこともなく、より一層監視の労力を低減することができる。
【００１８】
また、請求項５に記載した様に、請求項１又は２記載の監視システムにおいて、前記画像データ修正手段は、前記一致と判定されたメッシュについては、明度成分データについてもコントラストを低下させる様に、前記監視カメラの撮影した画像データを修正してから前記モニタに出力するコントラスト低下手段を備えることを特徴とする。
【００１９】
この請求項５記載の監視システムによれば、基本データと一致したメッシュについては、色成分データをカットするだけでなく、コントラストを低下させるように明度成分データを修正する。従って、より一層、変化のあった部位が鮮明に区別できるようになる点で、請求項１〜４記載の監視システムよりも優れている。
【００２１】
また、請求項６記載の監視システムは、これら請求項１〜４いずれか記載の監視システムにおいて、前記監視カメラにより撮影された画像を、前記メッシュと同じ単位に分割すると共に、各メッシュ内の画像データ中の明度成分データを、当該メッシュに対する現状明度データとして抽出する現状明度データ抽出手段と、該現状明度データ抽出手段の抽出した現状明度データを、予め定めてある基本明度データと比較し、当該基本明度データより現状明度データの方が明るいメッシュを特定する明度超過メッシュ特定手段と、該明度超過メッシュ特定手段によって特定されたメッシュについては、画像データ中の明度成分データを低下させるように当該メッシュの画像データを修正してから、当該修正後の画像データを表示用として前記モニタに出力する第３の画像データ修正出力手段とを備えることを特徴とする。
【００２２】
この請求項６記載の監視システムによれば、監視カメラで撮影している画像中のすべてのメッシュについて、これまで説明した処理とは別に、現状明度データ抽出手段による現状明度データ（監視カメラが撮影したままの明度成分データ）の抽出が実行され、明度超過メッシュ特定手段に与えられる。この明度超過メッシュ特定手段は、現状明度データを予め定めてある基本明度データと比較し、基本明度データより現状明度データの方が明るいメッシュを特定する。そして、この特定結果に基づいて、明度超過メッシュ特定手段が、基本明度データよりも明るい明度となっているメッシュを特定し、第３の画像データ修正出力手段に与える。すると、第３の画像データ修正出力手段が、明度超過メッシュ特定手段によって特定されたメッシュについては、画像データ中の明度成分データを低下させるように当該メッシュの画像データを修正してから、当該修正後の画像データを表示用としてモニタに出力する。
この結果、請求項６記載の監視システムによれば、各メッシュは、基本明度よりも明るくならないように表示されることとなり、例えば、パチンコ店の監視システムであれば、パチンコ台の各種電飾部品の明滅が和らげて表示されることとなる。よって、監視者は、この電飾部品等の明滅に惑わされることなく、監視を行うことができる。
【００２９】
【実施例】
以下、本発明の一実施例について図面を参照しながら説明する。
実施例の店内監視システムは、図１に示す様に、監視カメラ１と、この監視カメラ１によって撮影された画像を処理するためのコンピュータ２と、このコンピュータ２によって処理された後の画像を表示するモニタ３とによって構成される。なお、監視カメラ１は、パチンコ店内の各遊技島間の通路ごとに１台ずつ設けられ、カラー撮影可能なものである。また、モニタ３は、１台の監視カメラ１に対して１台ずつ設置され、こちらもカラー対応のものである。
【００３０】
コンピュータ２には、１台の監視カメラ１につき、少なくとも４つのフレームメモリ１１〜１４が備えられている。これらのフレームメモリ１１〜１４は、監視カメラ１が撮影する１画面を画素単位に分割し、各画素の色成分データ及び明るさ成分データを、画素ごとに記憶することができる記憶容量を有するものである。そして、これら４つのフレームメモリ１１〜１４の内の２つに対しては遅延回路２１，２２を経て画像データが入力されるように構成されている。
【００３１】
本実施例の店内監視システムでは、まず、図２に示す基本画像処理ルーチンを実行する。
基本画像処理ルーチンは、図３に示す様な、店内施設のみを写した画像を基本画像とし、この基本画像を本店内監視システムに記憶するルーチンである。
【００３２】
ここでは、まず、基本画像が本店内監視システムに記憶されているかを確認する（Ｓ１０）処理がなされる。この処理により、既に、基本画像が記憶されていれば本処理を直ちに終了し、基本画像が本店内監視システムに記憶されていなければ以下の処理を実行して基本画像を記憶する。
【００３３】
基本画像の記憶は、まず、基本画像撮影（Ｓ２０）で、監視カメラ１により開店前など遊技客がいない、店内施設のみを撮影できる状態で撮影した画像を基本画像として入力し、この入力した基本画像を基本メモリ記憶（Ｓ３０）により店内監視システムに記憶することによって行なう。ここで、基本メモリ記憶（Ｓ３０）は、基本画像を画素に分解し、画素毎に色成分、明度成分を抽出してデータ化し、このデータのテーブルを基本画像として本店内監視システムに記憶することにより行う。
【００３４】
こうして、基本画像が記憶されると、再び基本画像が記憶されているか確認し（Ｓ１０）、記憶されていれば、本処理を終了する。
尚、ここで基本画像が記憶されているのは、１１〜１４のフレームメモリのうちの１つであり、これを基本メモリ１１とする。
【００３５】
このように、本店内監視システムの基本メモリに基本画像が記憶されていることを確認すると、次に、図４，５に示す本実施例の店内監視システムのメインプログラムを実行する。
メインプログラムでは、まず、図６に示す様な、店内施設と遊技客が撮影された画像を現画像とし、この現画像を記憶する処理を行なう。
【００３６】
現画像の記憶は、現画像撮影（Ｓ１００）で、監視カメラ１により開店中の店内施設に遊技客が入っていてる現画像を撮影して本店内監視システムに入力し、次に、この入力した現画像を第１メモリ入力（Ｓ１１０）により記憶することによって行なう。ここで、第１メモリ入力（Ｓ１１０）によって行われる記憶は、現画像を基本画像と同様に画素に分解し、各画素の色、明度成分データを抽出してデータ化し、このデータのテーブルを現画像として第１メモリ１２へ入力（Ｓ１１０）することによって行なう。
【００３７】
尚、ここで現画像が記憶されているのは、フレームメモリのうちの１つでこれを第１メモリ１２とした。
次に、現画像撮影（Ｓ１００）によって入力した現画像を、第１遅延回路２１を経て第２メモリ１３へ入力する第２メモリ入力（Ｓ１３０）を実行する。本実施例では、第１遅延回路２１としては、５秒の遅延をもって画像データを第２メモリ１３へ入力する回路を採用することとする。従って、第２メモリ１３には、常に５秒前に撮影された画像データが入力された状態となっていることになる。なお、第２メモリ入力（Ｓ１３０）によって第２メモリ１３に入力される画像データも、基本メモリ１１や第１メモリ１２に入力される画像データと同様、画素ごとの色成分データと明度成分データである。以下、この第２メモリ１３に入力された画像データを「過去１画像」と呼ぶ。
【００３８】
次に、今度は、第２遅延回路２２を経て第３メモリ１４へ画像データを入力する第３メモリ入力（Ｓ１５０）を実行する。本実施例では、第２遅延回路２２として、０．２秒の遅延回路を採用することとする。従って、第３メモリ１４には、常に０．２秒前に撮影された画像データが入力された状態となっていることになる。なお、第３メモリ入力（Ｓ１５０）によって第３メモリ１４に入力される画像データも、基本メモリ１１、第１メモリ１２及び第２メモリ１３に入力される画像データと同様、画素ごとの色成分データと明るさ成分データである。以下、この第３メモリ１４に入力された画像データを「過去２画像」と呼ぶ。
【００３９】
以上のように、第１メモリ１２〜第３メモリ１４に営業中の店内の様子に基づいてデータが入力されると、以下の比較処理が実行される。
この比較処理では、撮影範囲の各画素ごとに、色成分係数Ｋａと、明るさ成分係数Ｋｂとを決定する処理が実行される。係数Ｋａ，Ｋｂは、監視カメラ１で撮影されている画像の各画素の色成分データをａ、明るさ成分データをｂとするとき、最終的にモニタ３に出力する画像データとして色成分をＫａ・ａに、明るさ成分をＫｂ・ｂに変換することによって、画素単位で色をカットしたり、明るさを制限したりするために用いる係数である。なお、色成分係数Ｋａは、Ｋａ＝Ｋa1・Ｋa2というＫa1，Ｋa2の２つの係数を乗算したものとして与えられる。
【００４０】
まず、第１の比較では、基本画像が記憶されている基本メモリ１１と現画像が記憶されている第１メモリ１２のデータの読出を行なう（Ｓ２１０，Ｓ２２０）。次に、読み出した両メモリのデータの色成分を比較し（Ｓ２３０）、色成分データが同じ画素についての色係数Ｋa1は「０」とし（Ｓ２４０）、異なる画素についての色係数Ｋa1を１とする（Ｓ２５０）。
【００４１】
次に、第２の比較では、過去１画像が記憶されている第２メモリ１３のデータの読出を行なう（Ｓ３１０）。次に、この過去１画像と、Ｓ２２０で読み出しておいた第１メモリの色成分を比較し（Ｓ３２０）、色成分データが同じところは色係数Ｋa2＝０．８を与え（Ｓ３３０）、異なるところは色係数Ｋa2＝１を与える（Ｓ３４０）。
【００４２】
更に、第３の比較では、過去２画像が記憶されている第３メモリ１４から画像データを読み出し（Ｓ４１０）、これと先に読み出した第１メモリ１２のデータの明度成分を比較し（Ｓ４２０）、第１メモリの方が明度が大きい場合には明度係数Ｋｂを「０．８」とし（Ｓ４３０）、小さいか同じ場合は明度係数Ｋｂを「１」とする（Ｓ４４０）。
【００４３】
このように、第１〜第３の比較が終了し、係数Ｋa1,Ｋa2とＫｂが決定すると、まず、明度成分の係数について、Ｋａ＝Ｋa1・Ｋa2が行われる（Ｓ５１０）。次に、この係数を現画像の色成分ａと明度成分ｂに夫々乗じて、色成分をＫａ・ａ、明度成分をＫｂ・ｂとし、これらをａ、ｂに代入する（Ｓ５２０）。そして、これらの代入された色、明度成分をモニターに出力する（Ｓ５３０）。
【００４４】
以上の比較処理の結果、例えば、図６に示すように、遊技客がいずれかのパチンコ機の前に座った直後は、この遊技客のいる部分の画素については、Ｓ２３０で第１メモリ１２の画像データと基本メモリ１１の画像データを比較した結果、第１メモリ≠基本メモリとなることから係数Ｋa1＝１が設定され（Ｓ２５０）、それ以外の部分の画素については第１メモリ＝基本メモリとなることから係数Ｋa1＝０が設定されることになる（Ｓ２４０）。５秒前にはこの遊技客がいなかったとすると、Ｓ３２０〜Ｓ３４０の処理により設定される係数Ｋa2については、遊技客がいるところＫa2＝１、遊技客がいないところはＫa2＝０．８となる。また、明度については、大当たり等によってランプ表示が変化しなければ変化がないので、Ｓ４２０〜Ｓ４４０の処理によって設定される係数Ｋｂについては、全ての画素についてＫｂ＝１となる。従って、遊技客が座った直後は、以上の処理の結果、最終的にモニタ３に出力される画像は、遊技客のいる部分については、ａ＝Ｋａ・ａ＝Ｋa1・Ｋa2・ａ＝ａ、ｂ＝Ｋｂ・ｂ＝ｂとなり、監視カメラ１で撮影した画像がそのまま表示され、それ以外の部分については、ａ＝０、ｂ＝ｂと、色がカットされた画像となって表示される。この様子を示したのが図７であり、図示の左下がりの斜線部のみがカラーで、それ以外の部分が白黒で表示されることになり、遊技客のいる部分に注意を惹くことができる。
【００４５】
一方、５秒前が図８に示す様に、手を上げた状態であったとすると、図９に右下がりの斜線で示す部分の画素については、Ｓ３２０〜Ｓ３４０の処理により設定される係数Ｋa2はＫa2＝１であるが、同図に左下がりの斜線で示す部分の画素については、５秒前から変化がないためにＫa2＝０．８となる。よって、手の部分だけはａ＝ａ、ｂ＝ｂとなって監視カメラ１で撮影した画像がそのまま表示されるものの、手以外の体の部分については、ａ＝０．８ａ、ｂ＝ｂと、色が弱められた画像となって表示される。よって、人のいる部分の内、動きのあった部分により注目を集める様な画像がモニタ３に表示されることとなる。
【００４６】
大当たり等によってランプが点滅するときは、Ｓ４２０〜Ｓ４４０の処理によって明度データの係数Ｋｂが０．８に設定されるので、図１０の様な場合に、ランプの点滅が弱くなる。この結果、ランプの点滅によって注意を乱されるということがなくなる。
【００４７】
この実施例では、人以外の背景的な店内施設等の色をカットし、色のあるなしという絶対的な識別によって、人の部分を目だたせ、人のいる部分でも、人の動きのない部分の色を落とし、色の濃さという相対的な識別をすることによって、人の動きのある部分を目だたせ、これらの識別が不可能な部分は明度を低下させることによって監視せねばならない部分を一目で把握できるので、監視モニタ１台あたりの監視効率が上がる。
【００４８】
尚、第１の比較で色成分をカットした部分は、更にコントラストを低下する構成にしてもよい。
第２の比較で、遅延回路の遅延時間は監視状況に合わせ適切な遅延が行われるよう、５秒以外の遅延が行われる構成にしてもよい。また、色係数Ｋａ２は１以下の正の小数であればよい。
【００４９】
第３の比較で、明度係数Ｋｂは、１以下の正の小数であればよい。
以上本発明の実施例を説明したが、本発明は、これに限らず、更に種々なる形態で実施することが可能である。
例えば、実施例の様に基本データを準備しておかなくても、随時撮影する画像データを所定時間記憶しておくようにしておき、過去のデータと一致する部分は色をカットし、過去のデータと一致しない部分だけを色付きで表示するといったシステムにしてもよい。また、カラーではなく白黒表示を行うシステムであれば、基本データあるいは上述した変形例の場合は過去データと一致するメッシュの明度成分データを弱める構成としてもよい。
【００５０】
また、動きのあった部分の過去の画像部分をカラーで表示するなどの強調表示をする構成としてもよい。動きのあった部分を点滅表示する構成としてもよい。
所定動作のパターンを予め指定記憶しておき、その様な動きのパターンがあったときのみカラー表示する構成としてもよい。
【図面の簡単な説明】
【図１】  実施例の店内監視システムの概略構成図である
【図２】  実施例における基本画像処理のフローチャートである。
【図３】  実施例における店内施設のみを写した画像の説明図である。
【図４】  実施例におけるメインルーチンのフローチャートである。
【図５】  実施例におけるメインルーチンのフローチャートである。
【図６】  実施例における店内施設と遊技客が写っている画像の説明図である。
【図７】  実施例における遊技客がいる部分のみがカラー表示されていることを表す画像の説明図である。
【図８】  実施例における随時撮影される画像の５秒前の店内施設と遊技客が写っている画像の説明図である。
【図９】  実施例における人の動きのあった部分はカラー、人の動きのない部分は薄いカラー、店内施設はモノクロで表示されている画像の説明図である。
【図１０】  実施例における人の動きのあった部分はカラー、人の動きのない部分は薄いカラー、店内施設はモノクロで表示されている画像の説明図である。
【符号の説明】
１…監視カメラ、２…コンピュータ、３…監視モニタ、１１…基本メモリ
１２…第１メモリ、１３…第２メモリ、１４…第３メモリ、２１…第１遅延回路
２２…第２遅延回路、３１…ランプ
【図１】
0003684715.tif 000002
【図２】
0003684715.tif 000003
【図３】
0003684715.tif 000004
【図４】
0003684715.tif 000005
【図５】
0003684715.tif 000006
【図６】
0003684715.tif 000007
【図７】
0003684715.tif 000008
【図８】
0003684715.tif 000009
【図９】
0003684715.tif 000010
【図１０】
0003684715.tif 000011